(57)【要約】【課題】少なくとも１つのアナログ放送番組と複数のデジタル放送番組が混在した放送信号を同一の伝送路上で受信する際に、アナログ放送番組とデジタル放送番組を短い時間で判別することができるアナログ／デジタル放送の判別方法を提供する。【解決手段】ステップＳ１０によってＥＱ・ＡＬＧＯフラグがＬレベル出力と判定され、ステップＳ１１によってＣＡＲ・ＬＯＣＫフラグがＬレベル出力と判定され、ステップＳ１２によってＦ・ＳＹＮＣフラグがＨレベル出力である判定されたときにデジタル放送であると判別する。ＥＱ・ＡＬＧＯフラグがＨレベル出力と判定され、ＣＡＲ・ＬＯＣＫフラグがＨレベル出力と判定され、Ｆ・ＳＹＮＣフラグがＬレベル出力である判定されたときにアナログ放送と判別する。【選択図】　　　図２
2004015315.tif 000002
【特許請求の範囲】
【請求項１】
同一の伝送路上に、少なくとも１つのアナログ放送番組と複数のデジタル放送番組が混在して送信されている放送信号を受信部で受信したときに、受信された放送番組がアナログ放送とデジタル放送のいずれであるかを判別するアナログ／デジタル放送の判別方法において、
前記受信部で受信される信号に対して行われるイコライザ処理が捕捉中であるか否かを判定する第１のステップと、
前記受信部で受信される信号のキャリアがロック状態であるか否かを判定する第２のステップと、
前記受信部で受信される信号に対して行われる復号処理が正常に行われるか否かを判定する第３のステップと、
前記受信部で受信される信号に対するイコライザ処理の捕捉中であることが前記第１のステップによって判定され、キャリアがロック状態であることが前記第２のステップによって判定され、前記復号処理が正常に行われないことが前記第３のステップによって判定されたときに前記受信部で受信された放送信号がアナログ放送番組であると判定する第４のステップとを有することを特徴とするアナログ／デジタル放送の判別方法。
【請求項２】
前記アナログ放送番組は、インターリーブ処理が施された送信信号とされ、前記第３のステップは、デ・インターリーブ処理が正常に行われるか否かを判定する動作ステップを含むことを特徴とする請求項１に記載のアナログ／デジタル放送の判別方法。
【請求項３】
前記第１乃至前記第３のステップは、集積回路化されたリンク回路内で実行されることを特徴とする請求項１に記載のアナログ／デジタル放送の判別方法。
【請求項４】
前記第１乃至前記第４のステップに、前記受信部で受信される信号の出力レベルを所定値に保つＡＧＣ回路における制御信号レベルが所定値より大きいか否かを判定する第５のステップを付加することを特徴とする請求項１に記載のアナログ／デジタル放送の判別方法。
【請求項５】
前記第１乃至前記第４のステップを有すると共に、前記第４のステップによってアナログ放送を受信していると判定されたときに、当該の放送周波数に対して以後のデジタル放送信号検出動作を行わせないように制御する選局ステップを付加することを特徴とする請求項１乃至請求項４のいずれかに記載のアナログ／デジタル放送の判別方法。
【発明の詳細な説明】
【０００１】
【発明の属する技術分野】
本発明は、同一の伝送路上に、少なくとも１つのアナログ放送番組と複数のデジタル放送番組が混在して送信されている放送信号を受信部で受信する際にアナログ／デジタル放送の判別をする方法に関する。
【０００２】
【従来の技術】
同軸ケーブルまたは光ケーブル等で形成される有線伝送線路、衛星波や地上波等を用いて行われる無線伝送線路を用いて行われるテレビジョン放送は、これまで、アナログの映像信号をＡＭ変調すると共に音声信号をＦＭ変調した信号を所定の搬送周波数で送信するアナログ放送番組が主流であったが、近年になってアナログの映像信号と音声信号をデジタル化し、さらにデジタル圧縮した後のデータをＱＰＳＫ変調またはＱＡＭ変調等の変調方式を用いてデジタル変調し、この信号をＯＦＤＭ方式等のデジタル伝送方式を用いて送信するデジタル放送が開始された。
【０００３】
このデジタル放送は、半導体技術、画像と音声の信号圧縮技術の著しい進歩によって可能となったものであり、従前のアナログ放送に比べて、同一の伝送路の有する周波数帯域の範囲内に、より多くの番組プログラムを放送することが可能となり、またＯＦＤＭ方式等のデジタル伝送方式が採用されることによって、伝送信号劣化の少ない高品位な放送が行える等の多くの利点を有している。
【０００４】
このような放送サービスは、その伝送路が、地上波伝送、衛星波伝送、ケーブル伝送等のように多種の伝送であったり、使用される放送衛星そのものが異なっていたり、伝送媒体自体が異なっているために、視聴者が希望する放送サービス、即ち、アナログ放送とデジタル放送のいずれかのサービスを選択することによりデジタル放送専用受信機とアナログ放送専用受信機のいずれを用いるかを一意的に決定することができる。
【０００５】
また、デジタル放送とアナログ放送の両用受信機を用いる場合には所定の受信周波数範囲をスキャン動作（選局動作）する際にはスキャン時に受信している信号がデジタル放送かアナログ放送かをそれぞれの受信機を用いることによって判断できた。
【０００６】
そして、デジタル専用受信機を用いてアナログ放送番組とデジタル放送番組が混在して送信されている放送信号を受信する場合には、その回路ブロックが例えば図４に示すように構成される。即ち、受信フロント部から出力されるＲＦ信号は、ＡＧＣ回路１によってその出力が適正なレベルに調整され、その次段に接続されたＰＬＬ回路２（信号検出回路３を含む）によって希望の周波数の信号が取り出され、次段のＬＩＮＫ回路４に出力される。
【０００７】
ＬＩＮＫ回路４は、ＰＬＬ回路２から出力されるデジタル放送信号をデコードして所定形式のトランスポートストリームのデータを作り出すもので、その回路ブロックはＩＣ化されている。このＬＩＮＫ回路４から出力される第１の制御信号によってＡＧＣ回路１が制御され、制御／デコードを行うマイコン５から出力される第２の制御信号によってＰＬＬ回路２とＬＩＮＫ回路４が制御され、マイコン５から出力されるビデオデータがビデオデコーダ６によって所定の信号形態のビデオ出力とされ、マイコン５から出力されるオーディオデータがオーディオデコーダ７によって所定の信号形態のオーディオ出力とされる。
【０００８】
このように構成されたデジタル専用受信機におけるアナログ／デジタル放送の判別は、図５に示すフローチャートのように行われ、動作開始に伴って、先ずステップＳ１によって現在受信されている周波数が予め設定されている最大値以下であるか否かが判定され、Ｎｏの場合には動作終了とされ、Ｙｅｓの場合には、次のステップＳ２に移行してマイコン５からＰＬＬ回路２に出力される第２の制御信号のデータとして周波数データが送信された後にステップＳ３に移行する。
【０００９】
ステップＳ３は、ＡＧＣ回路１におけるＡＧＣレベルの値、即ち第１の制御信号のレベル値が所定の閾値より大きいか小さいかのいずれであるかが判定され、閾値より小さい場合には受信信号が無しと判断されてステップＳ４に進んで次の受信周波数に進み、ステップＳ１とステップＳ２が再度に亘って実行され、ステップＳ３においてＡＧＣレベルの値が閾値より大きいと判定されたときには受信信号がデジタル放送であると判断されて次のステップＳ５に移行する。
【００１０】
ステップＳ５は、受信部でＴｕｎｅしているか否かを判定するもので、Ｙｅｓの場合にはステップＳ６に進んでＴｕｎｉｎｇパラメータの記録がなされた後に前述のステップＳ４が実行されて次の受信周波数に進み、ステップＳ１乃至ステップＳ３が再び実行される。
【００１１】
ここで、ステップＳ５でＮｏの場合、即ちＴｕｎｅしていない場合にはステップＳ７に移行して受信周波数を通常の選局ステップより少ない値に少し移動させ、次のステップＳ８に移行してマイコン５からＰＬＬ回路２に出力される第２の制御信号のデータとして周波数データが送信された後に前述のステップＳ５に戻されてこれ以降のステップが再度に亘って実行される。
【００１２】
従って、このようなデジタル専用受信機の場合には、受信された放送がアナログ放送であることが直接に判定できないために受信信号が全てデジタル放送に対応しているものとして一連の受信処理を行っている。
【００１３】
【発明が解決しようとする課題】
アナログ放送番組とデジタル放送番組が混在して存在するケーブル放送局、特にアナログ放送番組の局数が多い場合には、実際に受信することができないアナログ放送番組に対してもデジタル放送番組に対応しているものとして一連の受信処理を行っているために「アナログ放送とデジタル放送」の判別を行うに必要な時間が多く掛かってしまうという問題があり、特に、所定受信周波数範囲の中で選局動作を行う場合には、その一連の選局動作に必要とされる時間が多く掛かってしまうという問題がより増長し、これらの問題は、アナログ放送番組の数が増えれば増える程に顕著になって来る。
【００１４】
そこで、本発明の目的は、少なくとも１つのアナログ放送番組と複数のデジタル放送番組が混在した放送信号を同一の伝送路上で受信する際に、アナログ放送番組とデジタル放送番組を短い時間で判別することができるアナログ／デジタル放送の判別方法を提供することにある。
【００１５】
【課題を解決するための手段】
前記課題を解決するために、本発明によるアナログ／デジタル放送の判別方法は、次に記載するような特徴的な動作ステップを有している。
【００１６】
（１）同一の伝送路上に、少なくとも１つのアナログ放送番組と複数のデジタル放送番組が混在して送信されている放送信号を受信部で受信したときに、受信された放送番組がアナログ放送とデジタル放送のいずれであるかを判別するアナログ／デジタル放送の判別方法において、
前記受信部で受信される信号に対して行われるイコライザ処理が捕捉中であるか否かを判定する第１のステップと、前記受信部で受信される信号のキャリアがロック状態であるか否かを判定する第２のステップと、前記受信部で受信される信号に対して行われる復号処理が正常に行われるか否かを判定する第３のステップと、前記受信部で受信される信号に対するイコライザ処理の捕捉中であることが前記第１のステップによって判定され、キャリアがロック状態であることが前記第２のステップによって判定され、前記復号処理が正常に行われないことが前記第３のステップによって判定されたときに前記受信部で受信された放送信号がアナログ放送番組であると判定する第４のステップとを有するアナログ／デジタル放送の判別方法。
【００１７】
（２）前記（１）のアナログ放送番組は、インターリーブ処理が施された送信信号とされ、前記第３のステップは、デ・インターリーブ処理が正常に行われるか否かを判定する動作ステップを含むアナログ／デジタル放送の判別方法。
【００１８】
（３）前記（１）の第１乃至第３のステップは、集積回路化されたリンク回路内で実行されるアナログ／デジタル放送の判別方法。
【００１９】
（４）前記（１）の第１乃至第４のステップに、前記受信部で受信される信号の出力レベルを所定値に保つＡＧＣ回路における制御信号レベルが所定値より大きいか否かを判定する第５のステップを付加するアナログ／デジタル放送の判別方法。
【００２０】
（５）前記（１）乃至（４）のいずれかの第１乃至第４のステップを有すると共に、前記第４のステップによってアナログ放送を受信していると判定されたときに、当該の放送周波数に対して以後のデジタル放送信号検出動作を行わせないように制御する選局ステップを付加するアナログ／デジタル放送の判別方法。
【００２１】
【発明の実施の形態】
以下、本発明の一実施の形態について図面を用いて詳細に説明する。この形態は、アナログ放送番組がフランス国等で実施されているＳＥＣＡＭ規格に適合した形態で信号生成されている場合に本発明の方法を適用した例であり、その方法を実現するための動作ステップは、次のような第１乃至第４のステップを有している。
【００２２】
第１のステップは、受信部で受信される信号に対して行われるイコライザ処理が捕捉中であるか否かを判定するもので、第２のステップは、前記受信部で受信される信号のキャリアがロック状態であるか否かを判定するもので、第３のステップは、受信部で受信される信号に対して行われる復号処理が正常に行われるか否かを判定するもので、第４のステップは、受信部で受信される信号に対するイコライザ処理の動作捕捉中であることが前記第１のステップによって判定され、キャリアがロック状態であることが第２のステップによって判定され、復号処理が正常に行われないことが前記第３のステップによって判定されたときに受信部で受信された放送信号がアナログ放送番組であると判定するものである。
【００２３】
また、アナログ放送番組は、インターリーブ処理が施された送信信号とされ、第３のステップは、デ・インターリーブ処理が正常に行われるか否かを判定する動作ステップが含まれている。
【００２４】
さらに、第１乃至第３のステップは、集積回路化されたリンク回路内で実行され、第１乃至前記第４のステップに、受信部で受信される信号の出力レベルを所定値に保つＡＧＣ回路における制御信号レベルが所定値より大きいか否かを判定する第５のステップが付加され、かつ、この第５のステップは、第１乃至前記第４の前時点で実行され、しかも第４のステップによってアナログ放送を受信していると判定されたときに、当該のアナログ放送に対してデジタル放送信号検出動作を行わせないように制御する選局ステップが付加されている。
【００２５】
上述実施形態の構成は、基本的に後述するＬＩＮＫ回路４に特徴を有し、従来の構成をベースとしている。
【００２６】
本実施形態の判別方法の詳しい動作を示す図１のフローチャートは、従来の方法における動作ステップ（図５）の一部を変えたもので、その要部はステップＳ９の部分である。
【００２７】
また、本実施形態に用いられるアナログ放送番組とデジタル放送番組の周波数とＡＧＣレベルの関係は、デジタル放送番組の場合には、その変調方式がＱＡＭである場合には、予め決められた周波数帯域（通常は８ＭＨｚまたは７ＭＨｚ）に亘って略一様なレベル分布を有し、アナログ放送番組の場合には、その音声信号成分が低い周波数の側に位置され、これより高い周波数の側に隙間を介して映像信号成分が分布されている。
【００２８】
そして、動作開始に伴って先ずステップＳ１によって現在受信されている周波数が予め設定されている最大値以下であるか否かが判定され、Ｎｏの場合には動作終了とされ、Ｙｅｓの場合には、次のステップＳ２に移行してＰＬＬ回路に周波数データが送信された後にステップＳ３に移行する。
【００２９】
このステップＳ３は、ＡＧＣを行うための制御信号レベルの値が所定の閾値より大であるか小であるかの判別をするもので、閾値より小である場合には受信信号が無しと判断されてステップＳ４に進んで次の受信周波数に進み、ステップＳ１とステップＳ２が再度に亘って実行され、ステップＳ３においてＡＧＣレベルの値が閾値より大きいと判定されたときには、何等かの信号が有りと判定されて次のステップＳ５に移行する。
【００３０】
ステップＳ５は、受信部でＴｕｎｅしているか否かを判定するもので、Ｙｅｓの場合にはステップＳ６に進んでＴｕｎｉｎｇパラメータの記録がなされた後に前述のステップＳ４が実行されて次の受信周波数に進み、一連のステップＳ１〜Ｓ４が再び実行される。
【００３１】
ここで、ステップＳ５でＮｏの場合、即ちＴｕｎｅしていない場合にはステップＳ９に移行してアナログ放送番組であるか否かが判別される。
【００３２】
ステップＳ９の実行は、図２に示すフローチャートのようにして行われ、本発明の要部である「第１乃至第４のステップ」を実行するものである。また、この内の「第１乃至第３のステップ」の実行は、集積回路化されたＬＩＮＫ回路４（図４参照）によって行われる。
【００３３】
ＬＩＮＫ回路４による信号処理動作は、図３に示す第１処理部８乃至第６処理部１３のような６つの処理が順次に行われることによって実行され、受信部で得られたＩＦ入力の信号に対して第１処理部８によるフィルタリング処理とイコライザ処理が行われ、次処理が第２処理部９によるキャリア受信処理として行われる。
【００３４】
第１処理部８は、受信部で受信される信号に対して行われるイコライザ処理が動作捕捉中であるか否かを判定する「第１のステップ」を含んで実行され、動作捕捉中の場合にＥＱ・ＡＬＧＯフラグをＨレベル出力し、第２処理部９は、受信部で受信される信号のキャリアがロック状態であるか否かを判定する「第２のステップ」を含んで実行され、ロック状態である場合にはＣＡＲ・ＬＯＣＫフラグをＨレベル出力する。
【００３５】
第２処理部９の後処理である第３処理部１０は、所定フォーマットにデータをマッピングするもので、その後処理である第４処理部１１でデ・インターリーブ処理が行われる。この第４処理部１１は、受信部で受信される信号に対して行われる復号処理（デ・インターリーブ処理）が正常に行われるか否かを判定する「第３のステップ」を含んで実行され、復号処理（デ・インターリーブ処理）を正常に行なうことができる状態の場合にはＦ・ＳＹＮＣフラグをＨレベル出力する。
【００３６】
第４処理部１１の後処理である第５処理１２は、リード・ソロモン・デコードを行うもので、その後処理である第６処理部１３は、リード・ソロモン復号化されたデータをトランスレートストリーム（ＴＳ信号）に変換するものである。
【００３７】
そして、図２に戻り、アナログ放送番組であるか否かの判別が開始されると、先ず、ステップＳ１０でＥＱ・ＡＬＧＯフラグの検知がなされ、ＥＱ・ＡＬＧＯフラグがＬレベルである場合には、信号がデジタル波内であると見なしアナログ放送判別の処理を終了し、ＥＱ・ＡＬＧＯフラグがＨレベルである場合には次のステップＳ１１に移行してＣＡＲ・ＬＯＣＫフラグの検知がなされる。
【００３８】
ステップＳ１１でＣＡＲ・ＬＯＣＫフラグがＬレベル出力であると検知されたときには、信号がデジタル波内であると見なしアナログ放送判別の処理を終了し、ＣＡＲ・ＬＯＣＫフラグがＨレベル出力であると検知されたときには次のステップＳ１２に移行してＦ・ＳＹＮＣフラグの検知が行われる。
【００３９】
ステップＳ１２でＦ・ＳＹＮＣフラグがＨレベル出力であると検知されたときには、信号がデジタル波内であると見なしアナログ放送判別の処理を終了する。なお、この状態は、ステップＳ９の以前に実行されるステップＳ５の実行によって検知されているので通常は無いものである。
【００４０】
ステップＳ１２でＦ・ＳＹＮＣフラグがＬレベル出力であると検知されたときには、上記の判断処理を総合して、イコライザは捕捉していて、かつキャリアはロックしているにも関わらずインターリーブを正しく処理できない状態を表している。これは疑似的なロック状態を起こしていると考えられ、よって当該の放送信号がアナログ放送番組であると判別することができる。
【００４１】
このような状態、即ち、ＥＱ・ＡＬＧＯフラグとＣＡＲ・ＬＯＣＫフラグが共にＨレベル出力で、かつＦ・ＳＹＮＣフラグがＬレベル出力であるという３つの状態は、アナログ放送の信号に対する同調（ｔｕｎｅ）動作を行っているときのみに現れることが実験的にも確認されたので上述の３つの状態を満たす場合には当該の放送信号がアナログ放送番組であると判別することができる。
【００４２】
図１に戻り、ステップＳ９でＹｅｓの場合、即ち放送信号がアナログ放送番組であると判別された場合には、ステップＳ４に進み、Ｎｏの場合、即ちデジタル放送番組であるとの判別された場合には、次のステップＳ７に移行し、受信周波数を通常の選局ステップより少ない値に少し移動させ、次のステップＳ８に移行してマイコンからＰＬＬ回路に出力される第２の制御信号のデータとして周波数データが送信された後に前述のステップＳ５に戻されてこれ以降のステップが再度に亘って実行される。
【００４３】
従って、アナログ放送番組とデジタル放送番組が混在した放送信号を、同一の伝送路上で受信する際に、アナログ放送番組であることの判別が迅速に行えると共に、特に、デジタル放送番組のサービスを受信しようとしてデジタル放送番組のシーク選局を行う場合、アナログ放送番組であると判定された時点で当該のアナログ放送番組の再現等の処理を行わず次の受信周波数の検出に移行できるので一連のシーク選局に必要とされる時間を著しく短縮化することができる。
【００４４】
なお、本実施形態は、Ｔｕｎｅ動作に関する判断動作をステップＳ５で実行した後に、アナログ放送判別を行う動作をステップＳ９を実行しているが、この２つの動作は同一のフラグを使用してＴｕｎｅ動作とアナログ放送判別を行なっているので、その２つの動作を同時に行うようにしてもよいことは勿論である。
【００４５】
さらに、本発明における伝送線路は、地上電波や衛星電波が伝送路となっている場合のみならず、同軸ケーブルまたは光ケーブル等で形成される有線伝送線路で形成されていてもよいことは勿論であり、放送信号に混在するアナログ放送番組の数とデジタル放送番組の数は全くの任意であって、少なくとも１つのアナログ放送番組が含まれれば本発明の対象とされる放送信号となる。
【００４６】
【発明の効果】
以上の説明で明らかなように、本発明によれば、アナログ放送番組とデジタル放送番組が混在して存在する放送信号を受信してアナログ放送番組の有無を迅速に検出することができ、検出された時点で当該のアナログ放送番組に対する以降の一連の受信処理をキャンセルさせるので、特に、アナログ放送番組の局数が多い場合に、一連の選局動作を行うに必要な時間が著しく短縮化することができる効果があり、この効果は、放送信号に含まれるアナログ放送番組の数が増えれば増える程に顕著に生じる。
【００４７】
従って、本発明によれば、少なくとも１つのアナログ放送番組と複数のデジタル放送番組が混在した放送信号を同一の伝送路上で受信する際に、アナログ放送番組とデジタル放送番組を短い時間で判別することができるアナログ／デジタル放送の判別方法を提供することができる。
【図面の簡単な説明】
【図１】本発明の一実施の形態によるアナログ／デジタル放送の判別方法を説明するためのフローチャートである。
【図２】図１に示されるステップの詳細を示すフローチャートである。
【図３】本発明の一実施の形態によるアナログ／デジタル放送の判別方法におけるＬＩＮＫ回路の処理動作を説明するための動作図である。
【図４】従来のアナログ／デジタル放送の判別方法を説明するためのデジタル放送専用受信機の概略回路構成を示すブロック回路図である。
【図５】図３に示されるデジタル放送専用受信機の動作をアナログ／デジタル放送の判別動作を主として説明するためのフローチャートである。
【符号の説明】
１　ＡＧＣ回路
２　ＰＬＬ回路
３　信号検出回路
４　ＬＩＮＫ回路
５　マイコン
６　ビデオデコーダ
７　オーディオデコーダ
８　第１処理
９　第２処理
１０　第３処理
１１　第４処理
１２　第５処理
１３　第６処理
【図１】
2004015315.tif 000003
【図２】
2004015315.tif 000004
【図３】
2004015315.tif 000005
【図４】
2004015315.tif 000006
【図５】
2004015315.tif 000007